(57)【要約】【課題】本発明は、装着の手間を省き、簡単な操作でハンドルをロックすることのできる回路遮断器のハンドルロック機構提供することを目的としている。【解決手段】本発明に係る回路遮断器のハンドルロック機構は、操作ハンドルの操作部には、操作ハンドルの側面を出入りするロック片が取り付けられ、ロック片が勘合する勘合部をケースに設け、ロック片を操作部側面から突出させることにより、ケースに設けられた勘合部に係止し、操作ハンドルの動作を規制することを特徴とする。【選択図】図１
2007257920.tif 000002
【特許請求の範囲】
【請求項１】
ケースの上面にオンの状態でケースにフラットに収まる操作ハンドルを有する回路遮断器の、前記操作ハンドルの動作を規制するハンドルロック機構であって、前記操作ハンドルの操作部には、前記操作ハンドルの側面を出入りするロック片が取り付けられ、該ロック片が勘合する勘合部を前記ケースに設け、前記ロック片を前記操作部側面から突出させることにより、前記ケースに設けられた勘合部に係止し、前記操作ハンドルの動作を規制することを特徴とする回路遮断器のハンドルロック機構。
【請求項２】
前記ハンドルロック機構において、前記操作ハンドルの上面の前記ロック片が作動し、前記操作ハンドルの側面から突出した部分に、前記操作ハンドルが動作不可であることを示す表示を施すことを特徴とする請求項１に記載の回路遮断器のハンドルロック機構。
【発明の詳細な説明】
【技術分野】
【０００１】
本発明は、ケースの上面にオンの状態でケースにフラットに収まる操作ハンドルを有する回路遮断器の、操作ハンドルの動作を規制するハンドルロック機構に関するものである。
【背景技術】
【０００２】
従来、特許文献１に記載のようなハンドルロック装置があった。回路遮断器の操作ハンドルにハンドルロックキャップをかぶせることで、操作ハンドルが現状から動作しないようにするものがあった。回路遮断器を開路状態及び閉路状態に操作ハンドルの動作を規制するものである。操作ハンドルとハンドルロックキャップには貫通孔が設けられ、貫通孔にそれぞれハンドルロックピンを挿通してハンドルキャップを操作ハンドルの取り付けていた。また、ハンドルロックキャップを取り外すには、ハンドルロック解除具によりハンドルロックピンを外す。
【特許文献１】特許第３６１１４５３号公報
【発明の開示】
【発明が解決しようとする課題】
【０００３】
しかしながら、回路遮断器の操作ハンドルを固定するためのハンドルロックキャップは、操作ハンドルと別部品であるため、紛失の虞があった。また、ハンドルロックピンやハンドルロック解除具等、小さな部品が必要であり、部品管理も煩雑な手間がかかると共に、紛失の虞があった。
【０００４】
また、操作ハンドルにハンドルロックキャップをかぶせる方法では、操作ハンドルがハンドロックキャップに隠れてしまい、回路遮断器の動作状態の確認が困難であった。
【課題を解決するための手段】
【０００５】
そこで本発明は、装着の手間を省き、簡単な操作でハンドルをロックすることのできる回路遮断器のハンドルロック機構提供することを目的とし、その構造は、操作ハンドルの操作部には、操作ハンドルの側面を出入りするロック片が取り付けられ、ロック片が勘合する勘合部をケースに設け、ロック片を操作部側面から突出させることにより、ケースに設けられた勘合部に係止し、操作ハンドルの動作を規制することを特徴とする。
【０００６】
また、操作ハンドルの上面のロック片が作動し、操作ハンドルの側面から突出した部分に、操作ハンドルが動作不可であることを示す表示を施すことを特徴とする。
【発明の効果】
【０００７】
本発明に係る回路遮断器のハンドルロック機構は、操作ハンドルの操作部には、操作ハンドルの側面を出入りするロック片が取り付けられ、ロック片が勘合する勘合部をケースに設け、ロック片を操作部側面から突出させることにより、ケースに設けられた勘合部に係止し、操作ハンドルの動作を規制するため、必要なときにいつでもハンドルをロックすることができ、ハンドルロック部品の紛失の虞もない。
【０００８】
また、本発明に係る回路遮断器のハンドルロック機構は、操作ハンドルの上面のロック片が作動し、操作ハンドルの側面から突出した部分に、操作ハンドルが動作不可であることを示す表示を施すため、ハンドルをロックすることと同時に、ハンドルの状態を確認することができる。
【発明を実施するための最良の形態】
【０００９】
本発明に係る回路遮断器では、簡単な構造で且つ、容易な操作で確実にハンドルロックをするという目的を、最小の部品点数で、ハンドルと別部品のロック部品を用いずに必要なときに随時ハンドルロックできるようにした。
【実施例１】
【００１０】
本発明に係る回路遮断器のハンドルロック機構を図１〜図４の添付図面に基づいて説明する。
【００１１】
回路遮断器１はケース２の上面にオンの状態でケース２上面にフラットに収まる操作ハンドル３が設けられている。オフの状態では、操作ハンドル３は上面に突出する。操作ハンドル３の動作により回路を開いたり閉じたりする。
【００１２】
操作ハンドル３の操作部にロック片４を取り付ける。ロック片４にはツマミ５が形成されており、ツマミ５を操作することでロック片４は操作ハンドル３の側面方向に移動が可能である。ロック片４は操作ハンドル３の側面へ突出させることができる。操作ハンドル３の側部に当たるケース２の側壁６にはロック片４が勘合可能である勘合部７を形成する。
【００１３】
回路遮断器１がオンの状態のときは、操作ハンドル３は回路遮断器１の上面部に平面状に収まった状態である。回路遮断器１をオンの状態でハンドルロックする場合、ツマミ５を操作しロック片４をスライド移動させ操作ハンドル３の側面へ突出させ、ケース２の側壁６に設けられた勘合部７ａに勘合させる。操作ハンドル３を起こそうとしても、ロック片４がケース２に係止し、操作ハンドル３の動作が規制される。
【００１４】
また、回路遮断器１がオフの状態のときは、操作ハンドル３は回路遮断器１の上面部に突出した状態である。回路遮断器１をオフの状態でハンドルロックする場合、ツマミ５を操作しロック片４をスライド移動させ操作ハンドル３の側面へ突出させ、ケース２の側壁６に設けられた勘合部７ｂに勘合させる。操作ハンドル３を倒そうとしても、ロック片４がケース２に係止し、操作ハンドル３の動作が規制される。
【００１５】
回路遮断器１の操作ハンドル３にロック片４を組み付けてあるので、従来用いていたハンドルロックキャップ等の部品が不要で紛失等の虞もなくなる。また、操作ハンドル３のロック方法は、ロック片４が移動することにより操作ハンドル３から突出し、操作ハンドル３の動作を規制してハンドルロックするものである。
【実施例２】
【００１６】
図５に示すように、回路遮断器８の操作ハンドル９の上面のロック片１０が作動し、操作ハンドル９の側面から突出した部分に、操作ハンドル９が動作不可であることを示す表示１１を施す。例えば、ロック片１０の操作ハンドル９から突出した部分に「ロック」や「操作禁止」等の表示をしたり、赤色で操作ハンドルが動かないことを示したりする。
【産業上の利用可能性】
【００１７】
回路遮断器の操作ハンドルにロック片を取り付け、ロック片を移動させることにより、ロック片を回路遮断器のケースの一部に勘合させ、操作ハンドルの動作を規制し、開路状態及び閉路状態にハンドルロックするので、小さな部品の管理等煩雑な手間を省くことができる。
【図面の簡単な説明】
【００１８】
【図１】本発明に係る回路遮断器のハンドルロック機構の実施例を示す説明図である。（実施例１）
【図２】本発明に係る回路遮断器のハンドルロック機構の実施例を示す説明図である。（実施例１）
【図３】本発明に係る回路遮断器のハンドルロック機構の実施例を示す説明図である。（実施例１）
【図４】本発明に係る回路遮断器のハンドルロック機構の実施例を示す説明図である。（実施例１）
【図５】本発明に係る回路遮断器のハンドルロック機構の実施例を示す説明図である。（実施例２）
【符号の説明】
【００１９】
１    回路遮断器
２    ケース
３    操作ハンドル
４    ロック片
５    ツマミ
６    側壁
７    勘合部
８    回路遮断器
９    操作ハンドル
１０  ロック片
１１  表示
【図１】
2007257920.tif 000003
【図２】
2007257920.tif 000004
【図３】
2007257920.tif 000005
【図４】
2007257920.tif 000006
【図５】
2007257920.tif 000007